(57)【特許請求の範囲】
【請求項１】
空気流中に含まれる切粉を分離するための切粉分離装置であって、切粉を貯留する下部ボックスの上部に上部ボックスを着脱可能に備え、前記上部ボックスの一側部に切粉を含む空気流の流入口を備えると共に前記上部ボックスの他側部に空気流の流出口を備え、前記流出口よりも下側の位置に、下側を開口した拡張室を備え、一側部の前記流入口と他側部の前記流出口の下側に備えた前記拡張室とを、前記拡張室の断面積よりも断面積の小さなパイプによって接続して設け、前記上部ボックスの前記一側部と前記拡張室との間に、空気流が前記流出口へ向かう上昇通路を備え、前記拡張室の開口部に、前記拡張室への空気の流入方向の反対方向かつ斜め下方向であって前記上昇通路側方向へ空気流を案内する案内板を備えていることを特徴とする切粉分離装置。
【請求項２】
請求項１に記載の切粉分離装置において、前記拡張室内において前記流入口に対向した対向面に、当該拡張室内に流入した空気流を複数の空気流に分割する空気流分割手段を備えていることを特徴とする切粉分離装置。
【請求項３】
請求項１又は２に記載の切粉分離装置において、前記案内板に対向した位置に、前記案内板によって斜め下方向に案内された空気流の上昇を阻害する上昇阻害板を備えていることを特徴とする切粉分離装置。
【発明の詳細な説明】
【技術分野】
【０００１】
本発明は、例えばタレットパンチプレスなどのパンチプレスやパンチプレスとレーザ加工機とを複合化したパンチ・レーザ複合加工機等において、板状のワークにピアシング加工を行った後に、タッピング加工を行ったときに生じた切粉を含む空気流から前記切粉を分離除去する切粉分離装置に係り、より詳細には、空気流の旋回による遠心力と切粉に作用する重力とを利用して効果的に切粉を分離することのできる切粉分離装置に関する。
【背景技術】
【０００２】
パンチプレスにおいては、打抜いた打抜片（スクラップ）が板状のワークの上面に上昇するカス上がりを防止するために、負圧発生装置によってダイ孔内を吸引してスクラップを吸引除去することが行われている（例えば特許文献１参照）。
【先行技術文献】
【特許文献】
【０００３】
【特許文献１】特開２００７−３８２３０号公報
【発明の概要】
【発明が解決しようとする課題】
【０００４】
ところで、例えばタレットパンチプレスなどのパンチプレスにおいて、上記タレットにタッピング装置を装着して板状のワークにタッピング加工を行うことがある。そして、タップとしてポイントタップを使用すると、タッピング加工時の糸状の切粉は下方向に生じることになる。したがって、パンチング加工時に生じたスクラップを吸引除去することや、タッピング加工時に生じた切粉を吸引除去できることになる。
【０００５】
パンチング加工時に生じたスクラップは、小さな塊であって吸引したときの空気流から分離し易いものの、タッピング加工時に生じた切粉は細い螺旋状に生じて空気流に乗って移動し易いものである。したがって、タッピング加工によって生じた切粉は前記負圧発生装置におけるフィルターの目詰まりを生じ易いものである。よって、タッピング加工時には、タッピング加工によって生じた切粉を吸引除去することが行われていないのが現状である。
【０００６】
そこで、本発明は、タッピング加工によって生じた切粉を加工位置から吸引除去する際、吸引したときの空気流から切粉を効果的に分離することのできる切粉分離装置を提供しようとするものである。
【課題を解決するための手段】
【０００７】
本発明は、前述のごとき従来の問題に鑑みてなされたもので、空気流中に含まれる切粉を分離するための切粉分離装置であって、切粉を貯留する下部ボックスの上部に上部ボックスを着脱可能に備え、前記上部ボックスの一側部に切粉を含む空気流の流入口を備えると共に前記上部ボックスの他側部に空気流の流出口を備え、前記流出口よりも下側の位置に、下側を開口した拡張室を備え、一側部の前記流入口と他側部の前記流出口の下側に備えた前記拡張室とを、前記拡張室の断面積よりも断面積の小さなパイプによって接続して設け、前記上部ボックスの前記一側部と前記拡張室との間に、空気流が前記流出口へ向かう上昇通路を備え、前記拡張室の開口部に、前記拡張室への空気の流入方向の反対方向かつ斜め下方向であって前記上昇通路側方向へ空気流を案内する案内板を備えていることを特徴とするものである。
【０００８】
また、前記切粉分離装置において、前記拡張室内において前記流入口に対向した対向面に、当該拡張室内に流入した空気流を複数の空気流に分割する空気流分割手段を備えていることを特徴とするものである。
【０００９】
また、前記切粉分離装置において、前記案内板に対向した位置に、前記案内板によって斜め下方向に案内された空気流の上昇を阻害する上昇阻害板を備えていることを特徴とするものである。
【発明の効果】
【００１０】
本発明によれば、切粉を含む空気流は流入口から拡張室内に流入すると、拡張室内において低速になり、かつ斜め下方向へ案内されて下降流となった後、旋回して上昇通路を上昇して流出口から外部へ流出するものである。したがって、前記上昇通路内へ旋回上昇するとき、空気流に含まれる切粉には遠心力及び重量が下方向へ作用することとなり、空気流から切粉を効果的に分離することができるものである。
【図面の簡単な説明】
【００１１】
【図１】本発明の実施形態に係る切粉分離装置の斜視説明図である。
【図２】上記切粉分離装置の内部構成を示す斜視説明図である。
【図３】上記切粉分離装置の内部構成を示す斜視説明図である。
【図４】上記切粉分離装置の平面説明図である。
【図５】上記切粉分離装置の内部における空気の流れを説明する説明図である。
【発明を実施するための形態】
【００１２】
図１を参照するに、本発明の実施形態に係る切粉分離装置１は、４角形状のベースフレーム３を備えており、このベースフレーム３上には、複数の掛け金手段５を介して下部ボックス７が着脱可能に載置固定してある。そして、この下部ボックス７の上部には上部ボックス９が着脱可能に嵌入してある。すなわち、上部ボックス９は、ボルトのごとき複数の固定具１１によって着脱可能に嵌入固定してある。
【００１３】
前記上部ボックス９の一側壁９Ａには、流入口１３が備えられている。この流入口１３は、例えばパンチプレスやパンチ・レーザ複合加工機（図示省略）に備えられたタッピング加工装置等（図示省略）の加工位置から、タッピング加工時に生じた切粉を含む空気流を流入するもので、例えば吸引ダクト、吸引ホース等を介して前記流入口１３とタッピング加工位置等は接続してある。そして、前記上部ボックス９の他側壁９Ｂであって前記流入口１３よりも高い位置には流出口１５が備えられている。
【００１４】
前記流出口１５は、負圧発生装置（図示省略）に接続してある。前記負圧発生装置は、パンチング加工時に発生したスクラップの吸引除去と、タッピング加工時に生じた切粉の吸引除去の両方に兼用し得るものである。
【００１５】
前記流入口１３はパイプ１７によって構成してあり、このパイプ１７は、前記流出口１５の下側において上部ボックス９内に備えた拡張室１９に接続してある。この拡張室１９は下部側のみを開口した構成であって、この開口部には、拡張室１９に流入して流出する空気流を、拡張室１９内への流入方向の反対方向であって斜め下方向へ案内する案内板２１が、前記流入口１３側が低くなるように傾斜して備えられている。また、前記拡張室１９内において前記パイプ１７、すなわち前記流入口１３に対向した対向面には、流入口１３から拡張室１９内に流入した空気流を、流入方向に見て左右方向の複数の空気流に分割するための断面形状が三角形状の空気流分割手段２３が備えられている。
【００１６】
上記構成により、流入口１３から拡張室１９内へ流入した空気流は、空気流分割手段２３によって左右に二分されて開口部から下方向へ流出するときに、前記拡張室１９への空気の流入方向の反対方向であって斜め下方向へ案内板２１によって案内されることになる。
【００１７】
前記上部ボックス９の前記一側壁９Ａと前記拡張室１９との間には、前記流出口１５に連通した上昇通路２５が備えられており、この上昇通路２５の下部側であって前記一側壁９Ａの内面には、上昇阻害板２７が備えられている。この上昇阻害板２７は前記案内板２１に案内されて斜め下方向へ流れて、前記案内板２１に対向した下部ボックス７の対向壁面７Ａに当接した空気流が前記一側壁９Ａの内面に沿って前記上昇通路２５内へ直接的に流入することを阻害する機能を有するものであって、前記案内板２１側が低くなるように傾斜してある。
【００１８】
前記上昇通路２５内を上昇した空気流は、上部ボックス９の上部プレート９Ｃと前記拡張室１９の上部との間の通路２９を経て前記流出口１５から外部へ流出されるものである。なお、前記流出口１５にはフィルタ３１が着脱可能に備えられており、前記上部プレート９Ｃには、前記フィルタ３１を着脱するときの窓（図示省略）が備えられており、この窓の部分には、閉じ板３３がボルトなどのごとき複数の固定具３５によって着脱可能に取付けてある。
【００１９】
前述のごとき構成において、負圧発生装置を駆動して切粉分離装置１内の空気を流出口１５から吸引排出すると、切粉分離装置１の内部が負圧となり、流入口１３から外気を吸入することになる。したがって、流入口１３には、タッピング加工時に生じた切粉を含んだ空気が流入されることになる。
【００２０】
切粉を含んだ空気流が拡張室１９内に流入すると、空気流の流路が急激に拡大されて空気流の流速が低速になる。そして、拡張室１９内に流入した空気の流れは、図５（Ａ）に示すように、流入口１３に対向して備えられた空気流分割手段２３に当接し、空気の流れは空気流分割手段２３の左右方向への傾斜面に沿って左右方向に指向して二分割される。その後、前記拡張室１９から下方向へ流出する空気流は、パイプ１７から流入した慣性により案内板２１に案内されて斜め下方向へ指向される。上述のように二分割された空気の流れは、下部ボックス７の対向した側壁７Ｂ、７Ｃの内面に沿って対向壁面７Ａ方向へ流れる傾向にある。
【００２１】
そして、対向壁面７Ａに当接した空気流は、対向壁面７Ａに沿って下方向へ指向されるものの、空気流の一部は対向壁面７Ａに沿って上昇する傾向にあるが、上昇阻害板２７によって上昇は阻止される。したがって、対向壁面７Ａに当接した空気の流れはベースフレーム３の底面に沿って逆方向に流れる旋回流となる。この際、空気流に含まれる切粉には下方向への遠心力が作用すると共に重力が作用するので、空気流からの切粉の分離除去が効果的に行われることになる。
【００２２】
そして、前記流入口１３からパイプ１７内を流入することによって生じた空気流の慣性運動は次第に微弱な運動になる。そして、切粉分離装置１内において切粉を分離除去された後の空気は、流出口１５に作用する吸引作用によって上昇通路２５内を吸引上昇されて、通路２９を経て流出口１５から外部へ流出されることになる。なお、前述したごとく、空気流が案内板２１に沿って斜め下方向へ指向されるとき、空気流の一部は上昇通路２５へ吸引される傾向にあり、吸引された場合には、下降流から上昇流に旋回することになる。したがって、この場合においても空気流内の切粉を効果的に分離除去することができるものである。
【００２３】
以上のごとき説明より理解されるように、切粉分離装置１内に作用する負圧によって切粉を含む空気流を内部に吸引し、空気流が下降流から上昇流に旋回するときに作用する下方向への遠心力を切粉に付与し、かつ切粉に作用する重力を利用して、空気流から切粉を分離除去するものであるから、切粉の分離除去を効果的に行うことができるものである。また、流入口１３から切粉分離装置１内に流入した空気流を空気流分割手段２３によって分割するものであるから、空気流はより細流となるものであり、空気流からの切粉の分離除去をより容易に行い得るものである。
【符号の説明】
【００２４】
１    切粉分離装置
３    ベースフレーム
７    下部ボックス
７Ａ    対向壁面
９    上部ボックス
９Ａ    一側壁
９Ｂ    他側壁
１３    流入口
１５    流出口
１７    パイプ
１９    拡張室
２１    案内板
２３    空気流分割手段
２５    上昇通路
２７    上昇阻害板
２９    通路
【図１】
0005865022.tif 000002
【図２】
0005865022.tif 000003
【図３】
0005865022.tif 000004
【図４】
0005865022.tif 000005
【図５】
0005865022.tif 000006